(57)【要約】【課題】  共有の場所に保存したあるデータにデータを関連付ける場合に、個人的な注釈やコメントの保存場所によらず、共有の場所に保存したあるデータを参照できる状況ならばいつでもあるデータと個人的な注釈やコメントの同期をとり参照することを目的とする。【解決手段】  あるデータａと関連付けたいデータｂと、データａを管理するデータＡと、データｂを管理するデータＢと、データＡとデータＢが通信を行う手段、とで構成される。【選択図】        図１
2005182373.tif 000002
【特許請求の範囲】
【請求項１】
情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付け方法。
【請求項２】
情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付け装置。
【請求項３】
情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付けプログラム。
【発明の詳細な説明】
【技術分野】
【０００１】
本発明はデータ関連付け方法、装置及びプログラムに関するものである。
【背景技術】
【０００２】
あるデータａに、データｂを関連付ける方法として、特許文献１に開示されている「注釈装置がビューイング装置と異なっている場合に対象物に注釈を付けるシステム及び方法」が知られている。
【０００３】
この特許文献１に開示された「注釈装置がビューイング装置と異なっている場合に対象物に注釈を付けるシステム及び方法」では、ネットワーク上の対象物を指定し、対象物固有の識別子に対し注釈を付ける。注釈の完成時に注釈データベースに保存し、対象物に関連付ける。
【特許文献１】特開２００１−２０９６５９号公報
【発明の開示】
【発明が解決しようとする課題】
【０００４】
従来の情報処理装置のデータ関連付け方法において、以下のような問題点があった。
【０００５】
１．対象物に対する注釈を注釈データベースに格納するため、注釈データの保存場所を変更するなど自由に管理することができない。
【０００６】
２．例えば、大画面ディスプレイを使用した会議システムで、ディスプレイに表示している画面に関連付けてメモをとる場合、個人のメモをサーバに保存しなければ関連付けたデータの同期をとり、参照することが困難である。
【０００７】
本発明は共有の場所に保存したあるデータにデータを関連付ける場合に、個人的な注釈やコメントの保存場所によらず、共有の場所に保存したあるデータを参照できる状況ならばいつでもあるデータと個人的な注釈やコメントの同期をとり参照することを目的とする。
【課題を解決するための手段】
【０００８】
本発明の「データ関連付け方法」は「あるデータａに、関連付けたいデータｂを作成する手段」と、「前記データａを管理するデータＡを作成する手段」と、「前記データｂを管理するデータＢを作成する手段」と、「前記データＡと前記データＢとの通信を行う手段」と、「前記データａを参照できる情報処理装置又はネットワーク上に、前記データＡを保存する手段」と、「前記データｂを参照できる情報処理装置又はネットワーク上に、前記データＢを保存する手段」とを有することを特徴とする。
【０００９】
すなわち、本発明の技術内容は以下の構成を備えることにより前記課題を解決できた。
【００１０】
（１）情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付け方法。
【００１１】
（２）情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付け装置。
【００１２】
（３）情報処理装置におけるデータの管理において、
あるデータａに、関連付けたいデータｂを作成する手段と、
前記データａを管理するデータＡを作成する手段と、
前記データｂを管理するデータＢを作成する手段と、
前記データＡと前記データＢとの通信を行う手段と、
前記データａを参照できる情報処理装置又はネットワーク上に、前記データＡを保存する手段と、
前記データｂを参照できる情報処理装置又はネットワーク上に、前記データＢを保存する手段と、
を有することを特徴とする情報処理装置におけるデータ関連付けプログラム。
【発明の効果】
【００１３】
本発明によれば、情報処理装置のデータ関連付けにおいて、個人的な注釈やコメントを共有のデータ保存場所に保存せずに、個人管理の場所に保存することによって、共有のデータ保存場所を有効に使い関連付けできることと、関連付けたデータを参照できる効果がある。
【発明を実施するための最良の形態】
【００１４】
ファイル１３０、ファイル１４０、ファイル１５０に対しそれぞれファイル２３０、ファイル２４０、ファイル２５０を関連付ける場合、ファイル１３０、ファイル１４０、ファイル１５０を管理する管理ファイルＡ１１０を作成する。また、ファイル２３０、ファイル２４０、ファイル２５０を管理する管理ファイルＢ２１０を作成する。ファイルＡ１１０とファイルＢ２１０にそれぞれが通信するためのプログラム１２０とプログラム２２０を組み込む。
【００１５】
関連付けたファイルを参照する場合には、管理ファイルを見るアプリケーション１００と２００を起動し、管理ファイルＡ１１０と管理ファイルＢ２１０を読み込む。アプリケーション１００からファイル１３０、ファイル１４０、ファイル１５０を指定すると、それに関連付けたファイル２３０、ファイル２４０、ファイル２５０をアプリケーション２００に表示する。
【００１６】
また、アプリケーション２００からファイル２３０、ファイル２４０、ファイル２５０を指定すると、それに関連付けたファイル１３０、ファイル１４０、ファイル１５０をアプリケーション１００に表示する。
【実施例】
【００１７】
以下、図面を参照しながら、各実施の形態を詳細に説明していく。
【００１８】
実施の形態１
図７には、本発明を実施した時の、大画面ディスプレイを用いた会議システム構成を示している。
【００１９】
会議室は大画面ディスプレイ９００と、コンピュータ９０５と、デジタイザ９０７と、コンピュータ９０５と有線で接続したハンドヘルドコンピュータ９０１と、コンピュータ９０５と有線で接続したラップトップコンピュータ９０２と、コンピュータ９０５と無線で接続したラップトップコンピュータ９０３と、コンピュータ９０５と無線で接続したハンドヘルドコンピュータ９０４で構成される。
【００２０】
会議室外は、会議室のコンピュータ９０５と接続したサーバ９１０と、サーバ９１０と接続したデスクトップコンピュータ９１１と、サーバ９１０と接続したラップトップコンピュータ９１３と、デスクトップコンピュータ９１１と接続したハンドヘルドコンピュータ９１２とから構成される。
【００２１】
前記の会議システムを用いて、大画面ディスプレイ９００に対し、デジタイザ等を用いてアノテーションを行うなどの会議を行い、大画面ディスプレイに表示している画面、又は表示している一部を会議参加者のコンピュータ９０１、９０２、９０３、９０４から指定する。
【００２２】
指定した画面の情報を持った議事録ファイルａ（１）３３０、議事録ファイルａ（２）３４０、議事録ファイルａ（Ｎ）３５０と、議事録ファイルの管理ファイル３１０をｈｔｍｌ形式で作成し、サーバ９１０に保存する。
【００２３】
会議参加者はコンピュータ９０１、９０２、９０３、９０４を用いてメモを書き、メモファイルｂ（１）４３０、メモファイルｂ（２）４４０、メモファイルｂ（３）４５０と、メモファイル管理ファイル４１０をｈｔｍｌ形式で作成し、コンピュータ９０１、９０２、９０３、９０４にそれぞれ保存する。
【００２４】
前記管理ファイル３１０、４１０には、ブラウザ間でお互いにコマンドを送信することと、他方の管理ファイルを開くためのプログラム３２０、４２０を組み込んでおく。このときのプログラムはＪａｖａ（Ｒ）Ｓｃｒｉｐｔ等のブラウザで実行できる言語で記述する。
【００２５】
以上のように議事録ファイルとメモファイルをラップトップコンピュータ９０２、９０３に保存することによって、会議終了後に会議室外の場所で、会議の議事録とそれに関連したメモを見たいときには、会議中に作成したメモ管理ファイル４１０と、メモファイルｂ（１）４３０、メモファイルｂ（２）４４０、メモファイルｂ（３）４５０とプログラム４２０を保存しているラップトップコンピュータ９０３から、議事録管理ファイル３１０と、議事録ファイルａ（１）３３０、議事録ファイルａ（２）３４０、議事録ファイルａ（Ｎ）３５０とプログラム３２０を保存しているサーバ９１０に接続し、サーバ９１０の議事録の管理ファイル３１０をブラウザで表示する。
【００２６】
次にプログラム３２０から、メモ管理ファイル４１０をブラウザで開く。
【００２７】
次にプログラム３２０から、メモの管理ファイル４１０を表示しているブラウザ４００にコマンドを送信しファイルａ（１）３３０に関連するファイルｂ（１）４３０を同期して参照する。
【００２８】
又は、以下の方法によっても議事録ファイルと、メモファイルを同期することが可能である。
【００２９】
先ずメモ管理ファイル４１０をブラウザで表示する。
【００３０】
次にプログラム４２０によって、サーバ９１０の議事録管理ファイル３１０をブラウザで開く。
【００３１】
次にプログラム４２０から、議事録管理ファイル３１０を表示しているブラウザ３００にコマンドを送信しファイルｂ（１）４３０に関連するファイルａ（１）３３０を同期して参照する。
【００３２】
実施の形態１による効果
本実施の形態１によれば、ラップトップコンピュータによってメモデータを管理でき、議事録データと同期して参照できる。また、議事録データはサーバにあるために、ラップトップコンピュータの保存領域を有効に活用できるという効果がある。
【００３３】
実施の形態２
以下に詳述する実施の形態２においても、図７に示した構成を用いる。
【００３４】
会議室でハンドヘルドコンピュータ９０４にメモ管理ファイル４１０と、メモファイルｂ（１）４３０、メモファイルｂ（２）４４０、メモファイルｂ（３）４５０とプログラム４２０を保存した場合には、会議終了後に会議室外の場所で、ハンドヘルドコンピュータ９０４とデータの同期をとる母艦デスクトップコンピュータ９１１と接続しデータの同期をとり、メモ管理ファイル４１０と、メモファイルｂ（１）４３０、メモファイルｂ（２）４４０、メモファイルｂ（３）４５０とプログラム４２０をデスクトップコンピュータ９１１内に保存する。
【００３５】
次にデスクトップコンピュータ９１１でサーバ９１０の議事録の管理ファイル３１０をブラウザで表示する。
【００３６】
次にプログラム３２０から、メモ管理ファイル４１０をブラウザで開く。
【００３７】
次にプログラム３２０から、メモの管理ファイル４１０を表示しているブラウザ４００にコマンドを送信しファイルａ（１）３３０に関連するファイルｂ（１）４３０を同期して参照する。
【００３８】
又は、以下の方法によっても議事録ファイルと、メモファイルを同期することが可能である。
【００３９】
先ずメモ管理ファイル４１０をブラウザで表示する。
【００４０】
次にプログラム４２０によって、サーバ９１０の議事録管理ファイル３１０をブラウザで開く。
【００４１】
次にプログラム４２０から、議事録管理ファイル３１０を表示しているブラウザ３００にコマンドを送信しファイルｂ（１）４３０に関連するファイルａ（１）３３０を同期して参照する。
【００４２】
実施の形態２による効果
本実施の形態２によれば、持ち運びが容易なハンドヘルドコンピュータによって議事録データに関連したメモをとることができる。また、そのメモをデスクトップコンピュータにコピーすることによって議事録データと同期して参照できる。また、議事録データはサーバにあるために、ハンドヘルドコンピュータとデスクトップコンピュータの保存領域を有効に活用できるという効果がある。
【００４３】
実施の形態３
以下に詳述する実施の形態３においても、図７に示した構成を用いる。
【００４４】
会議室でコンピュータ９０１、９０２、９０３、９０４、９０５を用いて、リムーバブルディスク９０６にメモ管理ファイル４１０と、メモファイルｂ（１）４３０、メモファイルｂ（２）４４０、メモファイルｂ（３）４５０とプログラム４２０を保存した場合には、会議終了後に会議室外の場所で、サーバ９１０に接続したコンピュータ９１１、９０３にリムーバブルディスク９０６を接続し、サーバ９１０の議事録の管理ファイル３１０をブラウザで表示する。
【００４５】
次にプログラム３２０から、メモ管理ファイル４１０をブラウザで開く。
【００４６】
次にプログラム３２０から、メモの管理ファイル４１０を表示しているブラウザ４００にコマンドを送信しファイルａ（１）３３０に関連するファイルｂ（１）４３０を同期して参照する。
【００４７】
又は、以下の方法によっても議事録ファイルと、メモファイルを同期することが可能である。
【００４８】
先ずメモ管理ファイル４１０をブラウザで表示する。
【００４９】
次にプログラム４２０によって、サーバ９１０の議事録管理ファイル３１０をブラウザで開く。
【００５０】
次にプログラム４２０から、議事録管理ファイル３１０を表示しているブラウザ３００にコマンドを送信しファイルｂ（１）４３０に関連するファイルａ（１）３３０を同期して参照する。
【００５１】
実施の形態３による効果
本実施の形態３によれば、携帯情報処理装置を所有していない人でも、メモをとることができる。また、そのメモをデスクトップコンピュータ等を用いることによって議事録データと同期して参照できる。また、議事録データはサーバにあるために、リムーバブルディスクの保存領域を有効に活用できるという効果がある。
【００５２】
実施の形態４
以下に詳述する実施の形態４においても、図７に示した構成を用いる。
【００５３】
会議室でコンピュータ９０１、９０２、９０３、９０４、９０５を用いて、サーバ９１０にメモ管理ファイル４１０と、メモファイルｂ（１）４３０、メモファイルｂ（２）４４０、メモファイルｂ（３）４５０とプログラム４２０を保存した場合には、会議終了後に会議室外の場所で、サーバ９１０に接続したコンピュータ９１１、９０３、９０４でサーバ９１０の議事録の管理ファイル３１０をブラウザで表示する。
【００５４】
次にプログラム３２０から、メモ管理ファイル４１０をブラウザで開く。
【００５５】
次にプログラム３２０から、メモの管理ファイル４１０を表示しているブラウザ４００にコマンドを送信しファイルａ（１）３３０に関連するファイルｂ（１）４３０を同期して参照する。
【００５６】
又は、以下の方法によっても議事録ファイルと、メモファイルを同期することが可能である。
【００５７】
先ずメモ管理ファイル４１０をブラウザで表示する。
【００５８】
次にプログラム４２０によって、サーバ９１０の議事録管理ファイル３１０をブラウザで開く。
【００５９】
次にプログラム４２０から、議事録管理ファイル３１０を表示しているブラウザ３００にコマンドを送信しファイルｂ（１）４３０に関連するファイルａ（１）３３０を同期して参照する。
【００６０】
実施の形態４による効果
本実施の形態４によれば、サーバを参照できる情報処理装置さえあれば、議事録データとメモデータを同期して参照できる。また、携帯情報処理装置の保存領域を有効に活用できるという効果がある。
【００６１】
実施の形態５
以下に詳述する実施の形態５においても、図７に示した構成を用いる。
【００６２】
ネットワーク上のサーバ９１０以外にメモ管理ファイル４１０と、メモファイルｂ（１）４３０、メモファイルｂ（２）４４０、メモファイルｂ（３）４５０とプログラム４２０を保存した場合には、サーバ９１０に接続したコンピュータ９１１、９０３、９０４でサーバ９１０の議事録の管理ファイル３１０をブラウザで表示する。
【００６３】
次にプログラム３２０から、メモ管理ファイル４１０をブラウザで開く。
【００６４】
次にプログラム３２０から、メモの管理ファイル４１０を表示しているブラウザ４００にコマンドを送信しファイルａ（１）３３０に関連するファイルｂ（１）４３０を同期して参照する。
【００６５】
又は、以下の方法によっても議事録ファイルと、メモファイルを同期することが可能である。
【００６６】
先ずメモ管理ファイル４１０をブラウザで表示する。
次にプログラム４２０によって、サーバ９１０の議事録管理ファイル３１０をブラウザで開く。
【００６７】
次にプログラム４２０から、議事録管理ファイル３１０を表示しているブラウザ３００にコマンドを送信しファイルｂ（１）４３０に関連するファイルａ（１）３３０を同期して参照する。
【００６８】
実施の形態５による効果
本実施の形態５によれば、サーバとネットワーク上のメモデータを参照できる情報処理装置さえあれば、議事録データとメモデータを同期して参照できる。また、サーバの保存領域を有効に活用できるという効果がある。
【００６９】
実施の形態６
以下に詳述する実施の形態６においても、図７に示した構成を用いる。
【００７０】
サーバ９１０に接続していないコンピュータ９１２にメモ管理ファイル４１０と、メモファイルｂ（１）４３０、メモファイルｂ（２）４４０、メモファイルｂ（３）４５０とプログラム４２０を保存した場合には、リムーバブルディスク９０６にメモ管理ファイル４１０と、メモファイルｂ（１）４３０、メモファイルｂ（２）４４０、メモファイルｂ（３）４５０とプログラム４２０を保存し、サーバ９１０に接続したコンピュータ９１１、９０３、９０４にリムーバブルディスク９０６をコンピュータ９１１、９０３に接続し、サーバ９１０の議事録の管理ファイル３１０をブラウザで表示する。
【００７１】
次にプログラム３２０から、メモ管理ファイル４１０をブラウザで開く。
【００７２】
次にプログラム３２０から、メモの管理ファイル４１０を表示しているブラウザ４００にコマンドを送信しファイルａ（１）３３０に関連するファイルｂ（１）４３０を同期して参照する。
【００７３】
又は、以下の方法によっても議事録ファイルと、メモファイルを同期することが可能である。
【００７４】
先ずメモ管理ファイル４１０をブラウザで表示する。
【００７５】
次にプログラム４２０によって、サーバ９１０の議事録管理ファイル３１０をブラウザで開く。
【００７６】
次にプログラム４２０から、議事録管理ファイル３１０を表示しているブラウザ３００にコマンドを送信しファイルｂ（１）４３０に関連するファイルａ（１）３３０を同期して参照する。
【００７７】
実施の形態６による効果
本実施の形態６によれば、デスクトップコンピュータがネットワークに接続していなくても、サーバとネットワーク上のメモデータを参照できる情報処理装置にリムーバブルディスクを接続することができれば、議事録データとメモデータを同期して参照できるという効果がある。
【００７８】
以下に管理ファイルと管理ファイルを用い同期をとる画面の例と操作手順を説明する。
【００７９】
議事録管理ファイル３１０は、議事録サムネイル番号５１０とファイル５２０を関連付けるテーブル５００を持ち、ブラウザ６００で指定した議事録サムネイル番号６０１に対応するファイルの内容をブラウザの表示エリア６０２に表示する。
【００８０】
メモ管理ファイル４１０は、メモ番号５４０とファイル５５０を関連付けるテーブル５３０を持ち、ブラウザ６１０で指定したメモ番号６１１に対応するファイルの内容をブラウザの表示エリア６１２に表示する。
【００８１】
ブラウザ６００で議事録サムネイル番号６０１を指定したときに、メモを表示しているブラウザ６１０に、ブラウザのメモ番号６１１を指定した議事録サムネイル番号に変更するコマンドを送信する。メモを表示しているブラウザ６１０ではメモ番号の変更に伴い、対応したメモファイルの内容をブラウザの表示エリア６１２に表示する。これにより議事録ファイルとメモファイルの同期が取れる。
【００８２】
議事録管理ファイルを表示しているブラウザを操作しその動作にメモの表示を同期させる場合の手順は、議事録管理ファイルをブラウザで開く（７００）、メモ管理ファイルを指定して開く（７０１）、議事録サムネイル番号をｉに変更（７０２）、Ｆｉｌｅ  ｉの内容を表示エリアに表示（７０３）、メモ管理ファイルを表示しているブラウザのメモ番号をＩに変更するコマンドを送信する（７０４）、ＭｅｍｏＦｉｌｅ  ｉの内容を表示エリアに表示（７０５）、７０２に戻る、である。
【００８３】
メモ管理ファイルを表示しているブラウザを操作し、その操作に議事録の表示を同期させる場合の手順は、メモ管理ファイルをブラウザで開く（８００）、議事録管理ファイルを指定して開く（８０１）、メモ番号をｉに変更（８０２）、ＭｅｍｏＦｉｌｅ  ｉの内容を表示エリアに表示（８０３）、議事録管理ファイルを表示しているブラウザの議事録サムネイル番号をｉに変更するコマンドを送信する（８０４）、Ｆｉｌｅ  ｉの内容を表示エリアに表示（８０５）、８０２に戻る、である。
【００８４】
本実施例では、議事録１つのファイルに対し１つのメモファイルを同期することについて述べたが、議事録ファイルとメモファイルは複数であっても、構わない。
【００８５】
また、管理ファイルはｈｔｍｌ形式として詳解したが、形式は限定しない。アプリケーションが扱うことができる形式ならどんなものでも構わない。この場合管理ファイルを見るためのアプリケーションは、ブラウザとは限らない。
【００８６】
また、管理ファイルから実行するプログラムはＪａｖａ（Ｒ）Ｓｃｒｉｐｔに限定するものではなく、前記の機能を満たすものならばどんな手段でも構わない。プログラムは管理ファイルに組み込むことには限定しない。
【００８７】
また、テーブル５００、５３０は管理ファイルが持つ必要は無く、プログラム３２０、４２０内や別のファイルとして保存し、管理ファイル３１０、４１０から参照する方法でも構わない。
【００８８】
また、参照するためのアプリケーションを複数の管理ファイルのために複数のウインドウの例を示してあるが、１つのウインドウ内で複数の管理ファイルを扱うものでも構わない。
【００８９】
また、本実施例ではハンドヘルドコンピュータを用いることについて述べたが、携帯情報処理装置ならどんなものでも構わない。
【００９０】
本実施例では、大画面ディスプレイを用いた会議システムを例に挙げて本発明に係るデータの関連付けについて詳解したが、本発明の要旨はこれに限定されない。例えば、ネットワーク上で管理するデータに対し、ネットワークに接続している情報処理処理装置からコメントや注釈を付ける場合にも、同様に本発明を適用することができることを充分理解されたい。
【００９１】
あるいは、ネットワーク上のデータで管理している物理的な対象物に対しコメントや注釈を付けるために、本発明に係るデータの関連付けを適用することも可能である。
【００９２】
要するに、例示という形態で本発明を開示してきたのであり、限定的に解釈されるべきではない。本発明の要旨を判断するためには、冒頭に記載した特許請求の範囲の欄を参酌すべきである。
【図面の簡単な説明】
【００９３】
【図１】データ構成を示す図
【図２】ファイル構成を示す図
【図３】管理ファイルが持つテーブルを示す図
【図４】２つの関連ファイルの参照画面を示す図
【図５】２つの関連ファイルを参照するための手順を示す図
【図６】２つの関連ファイルを参照するための手順を示す図
【図７】会議システムに適応したときの例を示す図
【符号の説明】
【００９４】
１００、２００  管理ファイルを扱うアプリケーション
１１０、２１０  管理ファイル
１２０、２２０  プログラム
１３０〜１５０、２３０〜２５０  ファイル
３００、４００、６００、６１０  ブラウザ等の管理ファイルを扱うアプリケーション
３１０、４１０  管理ファイル（ｈｔｍｌファイル）
３２０、４２０  Ｊａｖａ（Ｒ）Ｓｃｒｉｐｔ等の通信手段
３３０〜３５０、４３０〜３５０  ファイル
５００、５３０  管理ファイル等がもつテーブル
５１０  議事録サムネイル番号
５２０  議事録ファイル
５４０  メモ番号
５５０  メモファイル
６０１〜６０３、６１１〜６１３  ブラウザに表示するパーツ
９００  大画面ディスプレイ
９０１、９０４  ハンドヘルドコンピュータ等の携帯情報処理装置
９０２、９０３  ラップトップコンピュータ等の携帯情報処理装置
９０５  コンピュータ
９０６  リムーバブルディスク
９０７  デジタイザ
９１０  サーバ
９１１、９１２  デスクトップコンピュータ
【図１】
2005182373.tif 000003
【図２】
2005182373.tif 000004
【図３】
2005182373.tif 000005
【図４】
2005182373.tif 000006
【図５】
2005182373.tif 000007
【図６】
2005182373.tif 000008
【図７】
2005182373.tif 000009